(57)【要約】【課題】  スチームとブラッシングによるテンションを毛髪に与えることでヘアストレート剤の効果を向上させ、ヘアウェーブを伸ばしながらキューティクルの表面を整えるヘアストレート用装置を提供する。【解決手段】  ヘアストレート剤塗布手段を有し、スチームとテンションとヘアストレート剤を毛髪に同時に与えることのできる機能を備える。【選択図】  図１
2004237117.tif 000002
【特許請求の範囲】
【請求項１】
ヘアストレート剤塗布手段を有し、スチームとテンションとヘアストレート剤を毛髪に同時に与えることのできる機能を備えて成ることを特徴とするヘアストレート用装置。
【請求項２】
ヘアストレート剤を加熱する手段を有し、スチームとテンションと加熱したヘアストレート剤を毛髪に同時に与えることのできる機能を備えて成ることを特徴とするヘアストレート用装置。
【発明の詳細な説明】
【技術分野】
【０００１】
本発明は、ヘアウェーブを伸ばすのにヘアストレート剤の効果をスチーム、テンションにより向上させるヘアストレート用装置に関するものである。
【背景技術】
【０００２】
従来のヘアストレート手法では、毛髪へのヘアストレート剤の塗布後、ブロー仕上げや、ヘアストレート用ブラシにより毛髪にテンションを強く与えて毛髪のヘアウェーブを伸ばすようにしている。
【特許文献１】特開平０４−１０２４０４号公報
【発明の開示】
【発明が解決しようとする課題】
【０００３】
しかし、上述のような手法では複数の作業を同時に行うことなく順に行うようになっていることから毛髪へのヘアストレート剤の塗布後、十分にヘアウェーブを伸ばすことはできず、また、過度のテンションを毛髪に与えると毛髪とブラシの摩擦で毛髪のキューティクルが傷んでしまうという問題があった。
【０００４】
本発明は上記問題点の解決を目的とするものであり、スチームとブラッシングによるテンションを毛髪に与えることでヘアストレート剤の効果を向上させ、ヘアウェーブを伸ばしながらキューティクルの表面を整えるヘアストレート用装置を提供しようとするものである。
【課題を解決するための手段】
【０００５】
本発明は、ヘアストレート用装置としてヘアストレート剤塗布手段を有し、スチームとテンションとヘアストレート剤を毛髪に同時に与えることのできる機能を備えたことを特徴とするものである。
【０００６】
本発明は、ヘアストレート用装置としてヘアストレート剤を加熱する手段を有し、スチームとテンションと加熱したヘアストレート剤を毛髪に同時に与えることのできる機能を備えたことを特徴とするものである。
【発明の効果】
【０００７】
本発明におけるヘアストレート用装置は、ヘアストレート剤塗布手段を有し、スチームとテンションとヘアストレート剤を毛髪に同時に与えることのできる機能を備えたことを特徴とするので、ヘアストレート剤塗布手段によって毛髪にヘアストレート剤を塗布することで別作業としてヘアストレート剤を毛髪に塗布する手間を省くことができるものである。
【０００８】
また、本発明におけるヘアストレート用装置は、ヘアストレート剤を加熱する手段を有し、スチームとテンションと加熱したヘアストレート剤を毛髪に同時に与えることのできる機能を備えたことを特徴とするので、ヘアストレート剤を加温して毛髪に塗布することでヘアストレート剤の効果を効率よく引き出すことができるものである。
【発明を実施するための最良の形態】
【０００９】
以下、本発明を図示された実施例に基づいて詳述する。
【００１０】
本発明におけるヘアストレート用装置Ａは、図３に示されるようにＶ字状のグリップ部４の各先部に本体整髪部１あるいは副整髪部２を設けて主体が構成されており、グリップ部４を持って各整髪部１，２を近接させることで毛髪を各整髪部１，２間に挟み込むことができるようになっている。
【００１１】
図３、図４は本発明における参考例を示すものであり、本体整髪部１及び副整髪部２にはそれぞれブラシ部１ｃ，２ｃが設けられており、各ブラシ部１ｃ，２ｃにて毛髪をとくようにしながら本体整髪部１と副整髪部２で毛髪を挟み込んで毛髪を下方に引っ張ることで毛髪にテンションを与えることができるようになっている。また、本体整髪部１には本体整髪部１に設けられたブラシ部１ｃに露出するようにスチーム噴出口５が設けられている。６はヒータ板であり、７は水タンクであり、この水タンク７内の水をヒータ板６にて加熱してスチーム噴出口５よりスチームが噴出されるようになっており、スチーム噴出口５より噴出されるスチームを本体整髪部１と副整髪部２にて把持された毛髪に付与することができるようになっている。
【００１２】
しかして、ヘアストレート剤を毛髪に塗布する前、あるいは後に上記のヘアストレート用装置Ａでスチームとテンションとを毛髪に対して１つの器具で同時に与えながらヘアウェーブを伸ばす作業を行うものである。そして、上記のヘアストレート用装置Ａを用いてヘアウェーブを伸ばす作業を行うにあたり、ヘアストレート剤を毛髪に塗布した後、スチームとテンションを毛髪に同時に与えながらヘアウェーブを伸ばすようにした場合には化学反応を促進してヘアストレート剤の効果を向上させることができるものである。
【００１３】
また、上記のヘアストレート用装置Ａを用いてヘアウェーブを伸ばす作業を行うにあたり、スチームを毛髪に与えた後、ヘアストレート剤を毛髪に塗布し、ブラシ部１ｃ，２ｃで毛髪にテンションを与えながらヘアウェーブを伸ばすようにした場合にはスチームで前処理を行うことによってヘアストレート剤の毛髪への浸透を促進することができ、ヘアストレート剤の効果を向上させることができるものである。
【００１４】
図５は本発明における第２参考例を示すものであり、ブラシ部１ｃ，２ｃに変わる構造として、本体整髪部１及び副整髪部２に径の異なるローラー１ａ，１ｂまたは２ａ，２ｂが一組づつ取付けられている。本体整髪部１及び副整髪部２に設けられた各ローラー１ａ，１ｂまたは２ａ，２ｂは回転数が同じになるようにベルト８で回転自在に連結されている。また、本体整髪部１に設けられた各ローラー１ａ，１ｂの間にはスチーム噴出口５が設けられており、このスチーム噴出口５よりスチームを噴出させることができるようになっている。本体整髪部１及び副整髪部２に設けられた各ローラー１ａ，１ｂまたは２ａ，２ｂはそれぞれ径が異ならせてあり、本体整髪部１及び副整髪部２に設けられた各ローラー１ａ，１ｂまたは２ａ，２ｂ間に毛髪を挟み込んだ状態でヘアストレート用装置Ａを下方に移動させた場合には各ローラー１ａ，１ｂまたは２ａ，２ｂの回転率の差により毛髪にテンションが与えられるようになっている。但し、ブラッシングは一方向だけに向けて行うようにし、進行方向の前部に位置するのはローラー１ａ，２ａとし、各ローラー１ａ，１ｂ，２ａ，２ｂの径の関係はローラー１ａ，２ａの径がローラー１ｂ，２ｂの径よりも大きいものとなっている。この発明によれば、ブラシの代わりにローラー１ａ，１ｂまたは２ａ，２ｂで毛髪にテンションを与えることでブラシのブリスルとの摩擦により生じる傷みを防止することができる。
【００１５】
図６は本発明における第３参考例を示すものであり、相互にかみ合う本体整髪部１のブラシ部１ｃと副整髪部２のブラシ部２ｂのかみ合わせを調整できるように副整髪部２のブラシ部２ｃを構成するブリスル２ｄを副整髪部２の長手方向に沿って可動式にして毛髪に与えるテンションを調整できるようになっている。この発明によれば、ブラシ部２ｃをスライド移動させて毛髪に与えるテンションを変えることで毛髪に過度のテンションがかかることを防止することができる。
【００１６】
図７は本発明における第４参考例を示すものであり、副整髪部２のブラシ部２ｃを構成するブリスル２ｄの突出長さ（ブリスル長）を可変式にすることで毛髪に与えるテンションを調整できるようになっている。この発明によれば、各ブラシ部２ｃのブリスル長を変えて毛髪に与えるテンションを変えることで毛髪に過度のテンションがかかることを防止することができる。
【００１７】
図８は本発明における第５参考例を示すものであり、スチーム噴出口５の横に冷風吐出口９が設けられており、本体整髪部１と副整髪部２間に挟み込まれた毛髪に対してスチームと冷風とを付与することができるようになっている。この発明によれば、スチームより温められて柔らかくなった毛髪をテンションをかけた状態で瞬時に冷やすことでヘアウェーブを伸ばすことができる。
【００１８】
図１は本発明における第１実施例を示すものであり、副整髪部２にストレート剤塗布機能を有するフェルト１０を巻いたローラー１１が設けられており、このローラー１１によってヘアストレート剤塗布手段３が構成されている。このものにあっては、本体整髪部１に設けられたブラシ部１ｃは長手方向に沿う両端部のブリスル１ｄの突出長さが中間部のブリスル１ｄの突出長さよりも長いものとなっている。
【００１９】
図２は本発明における第２実施例を示すものであり、副整髪部２に設けられたヘアストレート剤塗布用のローラー１１を加熱する機能を設けたものである。副整髪部２に設けられたヘアストレート剤塗布用のローラー１１の下側には端部がヘアストレート剤が入れられたヘアストレート剤タンク１３に位置するヘアストレート剤浸透用フェルト１２が配されており、ヘアストレート剤浸透用フェルト１２の下側にはヒータ板１４が設けられており、ヘアストレート剤を加温して毛髪に塗布することができるようになっている。
【図面の簡単な説明】
【００２０】
【図１】本発明の実施例を示す一部省略した部分斜視図である。
【図２】さらに他の実施例を示す一部省略した部分断面図である。
【図３】本発明の一参考例を示す概略断面図である。
【図４】他の参考例を示す一部省略した部分斜視図である。
【図５】さらに他の参考例を示す一部省略した部分斜視図である。
【図６】（ａ）（ｂ）はさらに他の参考例における作用を説明する説明図である。
【図７】（ａ）（ｂ）はさらに他の参考例における作用を説明する説明図である。
【図８】さらに他の参考例を示す一部省略した部分斜視図である。
【符号の説明】
【００２１】
３  ヘアストレート剤塗布手段
【図１】
2004237117.tif 000003
【図２】
2004237117.tif 000004
【図３】
2004237117.tif 000005
【図４】
2004237117.tif 000006
【図５】
2004237117.tif 000007
【図６】
2004237117.tif 000008
【図７】
2004237117.tif 000009
【図８】
2004237117.tif 000010